(57)【要約】【課題】ポンプ内の特定部位を容易に把握するためのポンプ観察装置、および、同じ部位を容易に繰り返し観察できるポンプ観察方法を提供する。【解決手段】観察対象ポンプの内部における所定部位を検知することと、前記所定部位を示す位置情報を付すことと、所定期間経過後に、前記位置情報を目印として前記所定部位を観察することと、を備えるポンプ観察方法が提供される。【選択図】図３
2018178732.tif 000002
【特許請求の範囲】
【請求項１】
観察対象ポンプの内部における所定部位を検知することと、
前記所定部位を示す位置情報を付すことと、
所定期間経過後に、前記位置情報を目印として前記所定部位を観察することと、を備えるポンプ観察方法。
【請求項２】
塗料を噴射することによって前記位置情報を付す、請求項１に記載のポンプ観察方法。
【請求項３】
前記塗料は耐水性である、請求項２に記載のポンプ観察方法。
【請求項４】
前記塗料は蛍光塗料である、請求項２または３に記載のポンプ観察方法。
【請求項５】
前記所定部位は、劣化部位あるいは損傷部位である、請求項１乃至４のいずれかに記載のポンプ観察方法。
【請求項６】
撮像装置と、
観察対象ポンプ内の、前記撮像装置による撮像対象と関連付けられた位置に位置情報を付す位置情報付与手段と、を備えるポンプ観察装置。
【請求項７】
前記位置情報付与手段は、塗料を噴射する塗料噴射部材である、請求項６に記載のポンプ観察装置。
【発明の詳細な説明】
【技術分野】
【０００１】
本発明は、ポンプ観察方法およびポンプ観察装置に関する。
【背景技術】
【０００２】
立軸ポンプなどのポンプは、例えば排水機場に設置されて吸込水槽の水を吐出水槽に排出する。ポンプの使用を続けると内部が劣化したり摩耗・腐食したりする可能性があるため、定期的に内部を観察して診断する必要がある。劣化などが検知されると、その部位を継続的に観察して傾向管理を行うこともある。
【先行技術文献】
【特許文献】
【０００３】
【特許文献１】特開２００６−１６１７９０号公報
【発明の概要】
【発明が解決しようとする課題】
【０００４】
しかしながら、ポンプ内は暗かったり汚れていたりするため、ポンプ内のどこを観察しているかを把握しにくく、摩耗・劣化などが検知された場所を次回の点検や診断時に再度観察するのが困難なこともある。
【０００５】
本発明はこのような問題点に鑑みてなされたものであり、本発明の課題は、ポンプ内の特定部位を容易に把握するためのポンプ観察装置、および、同じ部位を容易に繰り返し観察できるポンプ観察方法を提供することである。
【課題を解決するための手段】
【０００６】
本発明の一態様によれば、観察対象ポンプの内部における所定部位を検知することと、前記所定部位を示す位置情報を付すことと、所定期間経過後に、前記位置情報を目印として前記所定部位を観察することと、を備えるポンプ観察方法が提供される。
所定部位に位置情報を付すことでこの位置情報が目印となるため、同所定部位を容易に繰り返し観察できる。
【０００７】
塗料を噴射することによって前記位置情報を付してもよい。
前記塗料は耐水性であってもよいし、蛍光塗料であってもよい。
このような塗料を噴射することで、ポンプ内に適切に位置情報を付すことができる。
【０００８】
前記所定部位は、劣化部位あるいは損傷部位であってもよい。
これにより、劣化部位あるいは損傷部位を繰り返し容易に観察できる。
【０００９】
本発明の別の態様によれば、撮像装置と、観察対象ポンプ内の、前記撮像装置による撮像対象と関連付けられた位置に位置情報を付す位置情報付与手段と、を備えるポンプ観察装置が提供される。
位置情報を付すことで、その位置を容易に繰り返し観察できる。
【００１０】
前記位置情報付与手段は、塗料を噴射する塗料噴射部材であってもよい。
塗料を噴射することで、ポンプ内に適切に位置情報を付すことができる。
【図面の簡単な説明】
【００１１】
【図１】立軸ポンプ１の概略図。
【図２】一実施形態に係るポンプ観察装置１００の概略図。
【図３】ポンプ観察手順の一例を示すフローチャート。
【発明を実施するための形態】
【００１２】
以下、本発明に係る実施形態について、図面を参照しながら具体的に説明する。以下、観察対象のポンプとして立軸ポンプを例示する。
【００１３】
図１は、立軸ポンプ１の概略図である。立軸ポンプ１は揚水管２を備え、その下部の吸込口（吸込ベルマウス）２ａから水を吸い上げる。揚水管２にはハンドホール３が設けられている。立軸ポンプ１内を観察する場合、ハンドホール３を開いて、ハンドホール３を通して揚水管２内にポンプ観察装置を入れる。観察によって劣化部位や損傷部位が見つかり、その後定期的に同じ部位の観察を行う必要が生じることがある。
【００１４】
そこで、本実施形態では、次のようなポンプ観察装置１００を用いて観察を行う。
図２は、一実施形態に係るポンプ観察装置１００の概略図である。ポンプ観察装置１００は、撮像装置１１と、保持部材１２と、塗料噴射部材１３とを備えている。
【００１５】
撮像装置１１はＣＣＤカメラなどであり、保持部材１２の先端に保持されて工業用内視鏡２０を構成する。保持部材１２内には撮像装置１１と接続された配線が通っており、外部から電源供給や撮像装置１１の制御が行われたり、撮像装置１１で得られた画像データが伝送されたりする。
【００１６】
保持部材１２および塗料噴射部材１３は同じ方向に延びている。そして、塗料噴射部材１３は固定用バンド１４などによって保持部材１２に取り付けられる。すなわち、保持部材１２を介して撮像装置１１と塗料噴射部材１３とが互いに取り付けられている。保持部材１２および塗料噴射部材１３は、図１のハンドホール３から所望の観察対象箇所までの距離より長い。また、保持部材１２および塗料噴射部材１３は可撓性があるのが望ましい。
【００１７】
撮像装置１１はその前方を観察対象として撮像する。塗料噴射部材１３は観察者の操作に応じて、撮像装置１１による撮像対象と関連付けられた位置、言い換えると、撮像装置１１の前方、また言い換えると、揚水管２における観察対象の近傍に特殊な塗料３０を噴射する。この塗料３０は揚水管２の内面に付着することで目印となる。塗料３０は蛍光塗料など輝度が高く暗くても見やすい（撮像されやすい）ものが望ましい。また、この塗料３０は揚水管２内に噴射されることから、耐水性であるのが望ましい。
【００１８】
なお、撮像装置１１より塗料噴射方向前方に塗料噴射部材１３の噴射口を設けるなどにより、塗料が撮像装置１１にかからないような構造にするのが望ましい。
【００１９】
図３は、ポンプ観察手順の一例を示すフローチャートである。
まず、揚水管２のハンドホール３を開いて内部にポンプ観察装置１００を入れる。そして、撮像装置１１が取得した画像に基づいて劣化部位あるいは損傷部位を検知する（ステップＳ１）。この検知は、サンプル画像との比較など画像処理によって行われてもよいし、観察者によって行われてもよい。検知された部位は継続的に観察を行って傾向管理すべき部位であり、以下、要観察部位と呼ぶ。
【００２０】
要観察部位が検知されると、観察者がポンプ観察装置１００を操作することにより、塗料噴射部材１３から同部位またはその近傍に塗料３０を噴射する（ステップＳ２）。これによって要観察部位を示す位置情報が付されることから、塗料噴射部材１３は位置情報付与手段と考えることができる。
【００２１】
位置情報を付与した後、ポンプ観察装置１００を揚水管２から取り出し、この時点でのポンプ観察を終了する。その後、定期点検や機能診断時のタイミング（時期）に合わせて要観察部位を再度観察する。すなわち、ハンドホール３を開いて内部に撮像装置を入れる。この撮像装置は図２に示すポンプ観察装置１００そのものでもよいし、通常の工業用内視鏡のような撮像装置でもよい。要観察部位には位置情報として輝度が高い塗料が付着しているため、暗い揚水管２内であっても、撮像装置が取得した画像から上記位置情報を目印として同部位を容易に検知でき、再観察できる（ステップＳ３）。要観察部位は、輝度が高い部分を画像処理によって特定してもよいし、観察者が画像を見ながら特定してもよい。
【００２２】
このように、本実施形態では、揚水管２内の要観察部位に特殊な塗料を噴射する。そのため、その後に揚水管２内を観察する際に塗料が目立つ位置情報となり、要観察部位を容易に把握できる。結果として、要観察部位を容易に繰り返し観察できる。なお、本実施形態では塗料噴射によってマーキングする例を示したが、他の手法によって位置情報を付してもよい。
【００２３】
上述した実施形態は、本発明が属する技術分野における通常の知識を有する者が本発明を実施できることを目的として記載されたものである。上記実施形態の種々の変形例は、当業者であれば当然になしうることであり、本発明の技術的思想は他の実施形態にも適用しうることである。したがって、本発明は、記載された実施形態に限定されることはなく、特許請求の範囲によって定義される技術的思想に従った最も広い範囲とすべきである。
【符号の説明】
【００２４】
１  立軸ポンプ
２  揚水管
２ａ  吸込口（吸込ベルマウス）
３  ハンドホール
１１  撮像装置
１２  保持部材
１３  塗料噴射部材
２０  工業用内視鏡
３０  塗料
１００  ポンプ観察装置
【図１】
2018178732.tif 000003
【図２】
2018178732.tif 000004
【図３】
2018178732.tif 000005